(57)【要約】【課題】切削かすが散らばることを防止することができる口腔外サクション用開口フード及びそれを備えた口腔外サクションを提供する。【解決手段】口腔外サクション用開口フード２０は、一端部に吸気口１１に取り付けるための取付開口部２１Ａが形成され、他端部に吸気するための吸気開口部２１Ｂが形成された中空状のフード本体２１を備えている。フード本体２１の吸気開口部２１Ｂの側には、吸気開口部２１Ｂの側の一部を閉鎖し、吸気口１１の側に切削かすを溜めるかす溜部２３を形成する仕切板２２が設けられている。【選択図】図２
2017029463.tif 000002
【特許請求の範囲】
【請求項１】
バキューム源に連通された吸気口を有する口腔外サクションに用いる口腔外サクション用開口フードであって、
一端部に前記吸気口に取り付けるための取付開口部が形成され、他端部に吸気するための吸気開口部が形成された中空状のフード本体と、
このフード本体の吸気開口部側において、一部を閉鎖し、前記吸気口の側に切削かすを溜めるかす溜部を形成する仕切板と
を備えたことを特徴とする口腔外サクション用開口フード。
【請求項２】
前記仕切板は、前記吸気開口部側の少なくとも下側の一部を閉鎖するように設けられ、前記仕切板の高さは、前記吸気開口部の縁から前記吸気開口部の中心までの長さの６０％以下であることを特徴とする請求項１記載の口腔外サクション用開口フード。
【請求項３】
バキューム源に連通された吸気口を有する口腔外サクションであって、
請求項１又は請求項２に記載の口腔外サクション用開口フードを備えたことを特徴とする口腔外サクション。
【発明の詳細な説明】
【技術分野】
【０００１】
本発明は、歯科治療において用いられる口腔外サクション及び口腔外サクション用開口フードに関する。
【背景技術】
【０００２】
近年、歯科治療においては、歯牙またはプラスチックや金属を切削した場合に生ずる切削粉塵や、注水噴霧の発散を、口腔外において吸引排除する口腔外サクションが用いられている。人の口腔内には細菌やウィルスが存在する場合があるので、それらが歯科治療中に切削粉塵や注水噴霧とともに口腔外に飛散して、吸い込んだ人に悪影響を及ぼすことを防止するためである。口腔外サクションとしては、例えば、一端部に吸気口が設けられ、他端部がバキューム源に対して連通された排気管を有し、吸気口には、患者の口腔周辺を覆うようにフードが取り付けられたものが知られている（例えば、特許文献１参照）。
【先行技術文献】
【特許文献】
【０００３】
【特許文献１】特開平８−１０３４５４号公報
【発明の概要】
【発明が解決しようとする課題】
【０００４】
しかしながら、このような口腔外サクションは、吸気口に、大きな切削かすが吸引されることを防止するために網状のフィルタが配設されているので、網の目よりも大きな切削かすは、吸引時にはフィルタに引っかかって吸引されず、吸引を停止すると下に落ちて散らばってしまうという問題があった。
【０００５】
本発明は、このような問題に基づきなされたものであり、切削かすが散らばることを防止することができる口腔外サクション用開口フード、及び、それを備えた口腔外サクションを提供することを目的とする。
【課題を解決するための手段】
【０００６】
本発明の口腔外サクション用開口フードは、バキューム源に連通された吸気口を有する口腔外サクションに用いるものであって、一端部に吸気口に取り付けるための取付開口部が形成され、他端部に吸気するための吸気開口部が形成された中空状のフード本体と、このフード本体の吸気開口部側において、一部を閉鎖し、吸気口の側に切削かすを溜めるかす溜部を形成する仕切板とを備えたものである。
【０００７】
本発明の口腔外サクションは、バキューム源に連通された吸気口を有するものであって、本発明の口腔外サクション用開口フードを備えたものである。
【発明の効果】
【０００８】
本発明によれば、フード本体の吸気開口部側に仕切板を設けて一部を閉鎖し、吸気口の側に切削かすを溜めるかす溜部を形成するようにしたので、吸引時に吸気口に引っかかった切削かすが、吸引を停止した時に、吸気口からフード本体内に落ちて、かす溜部に溜まるようにすることができる。よって、切削かすがフード本体から下に落ちて散らばってしまうことを防止することができる。
【０００９】
特に、仕切板は、吸気開口部側の少なくとも下側の一部を閉鎖するように設け、仕切板の高さを吸気開口部の縁から吸気開口部の中心までの長さの６０％以下とするようにすれば、吸引の低下を抑制しつつ、切削かすをかす溜部に溜めることができる。
【図面の簡単な説明】
【００１０】
【図１】本発明の一実施の形態に係る口腔外サクションの構成を表す図である。
【図２】図１に示した口腔外サクション用開口フードの構成を表す図である。
【図３】図１に示した口腔外サクション用開口フードの構成を表す断面図である。
【図４】口腔外サクション用開口フードの他の構成を表す図である。
【図５】口腔外サクション用開口フードの変形例を表す図である。
【発明を実施するための形態】
【００１１】
以下、本発明の実施の形態について、図面を参照して詳細に説明する。
【００１２】
図１は、本発明の一実施の形態に係る口腔外サクション１０の構成を表わすものである。図２及び図３は、図１に示した口腔外サクションに用いられる口腔外サクション用開口フード２０の構成を表すものである。口腔外サクション１０は、歯科治療に用いられるものであり、一端部に吸気口１１が設けられた吸気管１２を備え、吸気管１２の他端部は図示しないバキューム源に対して連通されている。吸気管１２は、例えば、図示しないアーム機構により、吸気口１１の位置を移動させることができるようになっている。吸気口１１には、例えば、網目状のフィルタ１３が配設されている。
【００１３】
吸気口１１には、また、口腔外サクション用フード２０が取り付けられている。口腔外サクション用開口フード２０は、一端部に吸気口１１に取り付けるための取付開口部２１Ａが形成され、他端部に吸気するための吸気開口部２１Ｂが形成された中空状のフード本体２１を備えている。フード本体２１は、例えば、プラスチックにより構成されている。フード本体２１の吸気開口部２１Ｂは、例えば、取付開口部２１Ａよりも大きく、フード本体２１は、吸気開口部２１Ｂに向かい拡大するように形成されていることが好ましい。吸気開口部２１Ｂの縁の形状は、例えば、円形とされている。
【００１４】
フード本体２１の吸気開口部２１Ｂの側には、吸気開口部２１Ｂの側の一部を閉鎖する仕切板２２が設けられている。仕切板２２は、吸気口１１の側に切削かすを溜めるかす溜部２３を形成するものであり、例えば、プラスチックにより構成されている。仕切板２２は、例えば、吸気開口部２１Ｂの側の少なくとも下側の一部を閉鎖するように設けられることが好ましい。
【００１５】
仕切板２２の高さは、例えば、吸気開口部２１Ｂの縁から吸気開口部２１Ｂの中心までの長さの６０％以下であることが好ましく、吸気開口部２１Ｂの縁から吸気開口部２１Ｂの中心までの長さの２０％以上、５０％以下であればより好ましい。吸引の低下を抑制しつつ、切削かすをかす溜部２３に溜めることができるからである。
【００１６】
より具体的には、仕切板２２は、例えば、図２及び図３に示したように、吸気開口部２１Ｂの最も下側の縁から上に向かい所定の高さまで設けるようにすることが好ましく、吸気開口部２１Ｂの最も下側の縁における高さＴ１が上述した範囲内、すなわち、吸気開口部２１Ｂの縁から吸気開口部２１Ｂの中心までの長さＴ２の６０％以下、更には、２０％以上５０％以下の範囲内であることが好ましい。また、仕切板２２は、例えば、図４に示したように、吸気開口部２１Ｂの下側の縁に沿って上述した所定の高さの範囲内でもうけるようにしてもよい。なお、図４は、口腔外サクション用開口フード２０を吸気開口部２１Ｂの側から見た図である。
【００１７】
この口腔外サクション１０では、吸引時には、口腔外サクション用開口フード２０を介して、切削粉塵や注水噴霧等を吸引する。その際、吸引口１１に設けられたフィルタ１３の目よりも大きさが大きい切削かすは、フィルタ１３に引っかかり、吸気管１２には吸引されない。次いで、吸引を停止すると、フィルタ１３に引っかかった切削かすが吸気口１１からフード本体２１内に落ち、仕切板２２で停止して、かす溜部２３に溜まる。
【００１８】
このように本実施の形態によれば、フード本体２１の吸気開口部側に仕切板２２を設けて一部を閉鎖し、吸気口１１の側に切削かすを溜めるかす溜部２３を形成するようにしたので、吸引時に吸気口１１に引っかかった切削かすが、吸引を停止した時に、吸気口１１からフード本体２１内に落ちて、かす溜部２３に溜まるようにすることができる。よって、切削かすがフード本体２１から下に落ちて散らばってしまうことを防止することができる。
【００１９】
特に、仕切板２２は、吸気開口部側の少なくとも下側の一部を閉鎖するように設け、仕切板２２の高さを吸気開口部の縁から吸気開口の中心までの長さの６０％以下とするようにすれば、吸引の低下を抑制しつつ、切削かすをかす溜部２３に溜めることができる。
【００２０】
以上、実施の形態を挙げて本発明を説明したが、本発明は上記実施の形態に限定されるものではなく、種々変形可能である。例えば、上記実施の形態では、口腔外サクション１０及び口腔外サクション用フード２０の構造について具体的に説明したが、他の構造を有するように構成してもよく、また、さらに他の構成要素を備えていてもよい。
【００２１】
更に、上記実施の形態では、吸気開口部２１Ｂの縁の形状が円形の場合について説明したが、楕円形や多角形などの他の形状であってもよい。加えて、上記実施の形態では、口腔外サクション用開口フード２０がフード本体２１と仕切板２２とを備える場合について説明したが、例えば、図５に示したように、吸気開口部２１Ｂの側の上側に、患者の顔面を覆うことができるようにフード本体２１から伸長して設けられたガード部２４を備えていてもよい。
【産業上の利用可能性】
【００２２】
口腔外サクションに用いることができる。
【符号の説明】
【００２３】
１０…口腔外サクション、１１…吸気口、１２…吸気管、１３…フィルタ、２０…口腔外サクション用フード、２１…フード本体、２１Ａ…取付開口部、２１Ｂ…吸気開口部、２２…仕切板、２３…かす溜部、２４…ガード部
【図１】
2017029463.tif 000003
【図２】
2017029463.tif 000004
【図３】
2017029463.tif 000005
【図４】
2017029463.tif 000006
【図５】
2017029463.tif 000007
【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
バキューム源に連通された吸気口を有する口腔外サクションに用いる口腔外サクション用開口フードであって、
一端部に前記吸気口に取り付けるための取付開口部が形成され、他端部に吸気するための吸気開口部が形成された中空状のフード本体と、
このフード本体の吸気開口部側において、一部を閉鎖し、前記吸気口の側に切削かすを溜めるかす溜部を形成する仕切板とを備え、
前記仕切板は、前記吸気開口部側の下側のみを閉鎖するように設けられた
ことを特徴とする口腔外サクション用開口フード。
【請求項２】
前記仕切板の高さは、前記吸気開口部の縁から前記吸気開口部の中心までの長さの６０％以下であることを特徴とする請求項１記載の口腔外サクション用開口フード。
【請求項３】
バキューム源に連通された吸気口を有する口腔外サクションであって、
請求項１又は請求項２に記載の口腔外サクション用開口フードを備えたことを特徴とする口腔外サクション。